(57)【要約】【課題】面倒な手間もなく音声信号や映像信号を録音／録画可能な通信端末装置及び録音／録画方法を提供する。【解決手段】通信端末装置１は、基地局を介して、他の通信端末装置と相互に音声を発着信し、メールを送受信する送受信手段５０と、他の機器とケーブルを介して接続可能な入力端子３０と、他のＡＶ機器との接続状態を検出する接続検出手段３１と、入力端子３０を介して該ＡＶ機器から入力される音声信号又は映像信号をエンコード（符号化）処理して記憶手段２０に記憶するためのアプリケーションプログラムを起動してメモリ２３に展開し、音声信号又は映像信号の記憶を実行するための待機状態に通信端末装置１を移行するとともに、送受信手段５０の機能を停止又は通信端末装置１の受信時の機能の制限する制御手段１０とを備えている。【選択図】        図２
2006295541.tif 000002
【特許請求の範囲】
【請求項１】
基地局を介して他の通信端末装置と相互に音声を発着信し、メールやデータを送受信する送受信手段と、他のＡＶ機器とケーブルを介して接続可能な入力端子とを備える通信端末装置であって、
前記入力端子に前記ケーブルが接続されているか否かに基づいて、前記他のＡＶ機器との接続状態を検出する接続検出手段と、
少なくともアプリケーションプログラムを記憶するプログラム格納領域と、各種データを記憶するデータ格納領域とを有する記憶手段と、
前記アプリケーションプログラムの処理を演算するためのメモリと、
前記接続検出手段が前記他のＡＶ機器と接続状態であると検出した場合には、前記入力端子を介して前記他のＡＶ機器から入力される音声信号又は映像信号を前記記憶手段に記憶するためのアプリケーションプログラムを起動して前記メモリに展開し、前記音声信号又は前記映像信号の符号化処理を行った結果を前記記憶手段に記憶するための待機状態に前記通信端末装置を移行するとともに、前記送受信手段の全部又は一部の機能を停止又は前記通信端末装置の受信時の機能を制限する制御手段と、
を備えることを特徴とする通信端末装置。
【請求項２】
前記通信端末装置の各部に電源を供給する電源手段を更に備え、
前記制御手段は、前記電源手段から前記送受信手段への電源供給を停止することにより前記送受信手段の機能を停止することを特徴とする請求項１に記載の通信端末装置。
【請求項３】
前記送受信手段により前記他の通信端末装置から着信あるいはメールを受信したとき、音又はバイブレーションによりその旨を報知する報知手段を更に備え、
前記制御手段は、前記報知手段の機能を停止することにより前記受信時の機能を制限することを特徴とする請求項１に記載の通信端末装置。
【請求項４】
前記メール又は前記他の通信端末装置の識別情報を表示するとともに、前記通信端末装置の状態をアイコンで表示可能な表示手段を更に備え、
前記制御手段が前記送受信手段の機能を制限している場合に、前記送受信手段を介して前記他の通信端末装置から着信あるいはメールを受信したときには、前記表示手段は、前記着信があったことあるいはメールを受信したことをアイコンのみで表示することを特徴とする請求項１又は請求項３に記載の通信端末装置。
【請求項５】
前記制御手段が前記送受信手段の機能を制限している場合に、前記送受信手段を介して前記他の通信端末装置から着信したときには、前記制御手段は、現在通話ができないことを、前記送受信手段を介して前記他の通信端末装置に通知することを特徴とする請求項１、請求項３及び請求項４のいずれかに記載の通信端末装置。
【請求項６】
押下されると所定の信号を前記制御手段に出力する複数のキーを更に備え、
前記音声信号又は前記映像信号を符号化処理して前記記憶手段に記憶するためのアプリケーションプログラムを実行し、その後前記音声信号又は前記映像信号の記憶を終了すると、前記制御手段は、前記通信端末装置を再度待機状態に移行し、その後所定の時間前記複数のキーからの押下信号が入力されない場合には、前記送受信手段の機能の停止又は前記通信端末装置の受信時の機能の制限を解除することを特徴とする請求項１から請求項５のいずれかに記載の通信端末装置。
【請求項７】
前記制御手段は、前記送受信手段の機能の停止又は前記通信端末装置の受信時の機能の制限を解除した後、前記ＡＶ機器から音声信号又は映像信号が更に入力された場合には、前記送受信手段の機能を再度停止又は前記通信端末装置の受信時の機能を再度制限することを特徴とする請求項６に記載の通信端末装置。
【請求項８】
前記接続検出手段により前記ＡＶ機器との接続が断たれたことが検出されると、前記制御手段は、前記音声信号又は前記映像信号を符号化処理して前記記憶手段に記憶するためのアプリケーションプログラムを終了するとともに、前記送受信手段の機能の停止又は前記通信端末装置の受信時の機能の制限を解除することを特徴とする請求項１から請求項７のいずれかに記載の通信端末装置。
【請求項９】
基地局を介して他の通信端末装置と相互に音声を発着信し、メールやデータを送受信する送受信部と、他のＡＶ機器とケーブルを介して接続可能な入力端子とを備える通信端末装置において音声信号又は映像信号を録音又は録画する通信端末装置の録音／録画方法であって、
前記入力端子に前記ケーブルが接続されているか否かに基づいて、前記他のＡＶ機器との接続状態を検出するステップと、
前記入力端子を介して前記ＡＶ機器から入力される音声信号又は映像信号を符号化処理して記憶部に記憶するためのアプリケーションプログラムを起動してメモリに展開し、前記音声信号又は前記映像信号の符号化処理して前記記憶部への記憶を実行するための待機状態に前記通信端末装置を移行するステップと、
前記基地局を介して前記他の通信端末装置と相互に音声を発着信し、前記送受信部の機能を停止又は前記通信端末装置の受信時の機能を制限するステップと、
を有することを特徴とする通信端末装置の録音／録画方法。
【請求項１０】
前記機能停止又は制限ステップは、前記送受信部への電源供給を停止することにより前記送受信部の機能を停止するステップを含むことを特徴とする請求項９に記載の通信端末装置の録音／録画方法。
【請求項１１】
前記機能停止又は制限ステップは、前記他の通信端末装置からの着信又はメールの受信を音又はバイブレーションにより報知する機能を停止することにより前記受信時の機能を制限するステップ、前記他の通信端末装置から着信又はメールを受信した旨を表示部にアイコンのみで表示するステップ、及び、前記他の通信端末装置からの着信時に現在通話ができないことを通知するステップの少なくともいずれかを含むことを特徴とする請求項９に記載の通信端末装置の録音／録画方法。
【請求項１２】
前記機能の停止又は制限ステップの後に、前記音声信号又は前記映像信号を符号化処理して前記記憶部に記憶するためのアプリケーションプログラムを実行するステップと、
前記アプリケーションプログラム実行ステップの終了後、前記通信端末装置を再度待機状態に移行するステップと、
前記再度の待機状態への移行後、所定の時間前記通信端末装置の複数のキーのいずれかが押下されない場合には、前記送受信部の機能の停止又は前記通信端末装置の受信時の機能の制限を解除するステップと、
を更に有することを特徴とする請求項９から請求項１１のいずれかに記載の通信端末装置の録音／録画方法。
【請求項１３】
前記停止又は制限解除ステップ後、前記ＡＶ機器から音声信号又は映像信号が入力された場合には、前記送受信部の機能を再度停止又は制限するステップを更に有することを特徴とする請求項１２に記載の通信端末装置の録音／録画方法。
【請求項１４】
前記接続検出状態ステップは、前記通信端末装置の電源がＯＮの状態において常時実行されており、
前記ＡＶ機器との接続が断たれたことを検出すると、前記音声信号又は前記映像信号を符号化処理して前記記憶部に記憶するためのアプリケーションプログラムを終了するとともに、前記送受信部の機能の停止又は前記通信端末装置の受信時の機能の制限を解除するステップを更に有することを特徴とする請求項９から請求項１３のいずれかに記載の通信端末装置の録音／録画方法。
【発明の詳細な説明】
【技術分野】
【０００１】
本発明は、音声信号又は映像信号を処理するＡＶ機器（Ａｕｄｉｏ  Ｖｉｄｅｏ機器）等に接続し、音声信号又は映像信号を録音又は録画することができる通信端末装置及びそのような通信端末装置の録音／録画方法に関する。
【背景技術】
【０００２】
従来から、ＡＶ機器に、各種ケーブルを介して他のＡＶ機器を接続することにより、音楽信号を含む音声信号（オーディオ信号）や映像信号（ビデオ信号（デジタル信号、アナログ信号のいずれでもよい））を録音又は録画可能であることが知られている。このような機能は携帯電話などの通信端末装置でも搭載されつつある。
このような他の端末との通信が可能な従来の通信端末装置において音声信号又は映像信号を記憶する処理を実行している際に、他の端末から電話を着信、あるいはメールを受信したときには、着信又は受信を制限するアプリケーションを備えていない場合、実行中の録音／録画処理を中断せざるを得ないことになる。例えば、楽曲などの音楽信号やテレビジョン放送などの映像信号をエンコード（符号化）処理し、その後に符号化された音楽信号や映像信号を記憶する場合には、すなわち、録音／録画処理中に着信等があった場合には、この録音／録画処理が中断されてしまい、完全な録音／録画処理を行うために最初から同様の録音／録画処理を実行せざるを得ないという面倒が生じてしまう。
特許文献１には、例えば、医療機関などで他の電子機器に及ぼす電波妨害を防止するために、スイッチ手段により無線送受信部への電源出力の供給を停止することにより、着信等を制御することができる移動通信端末が開示されている。
【特許文献１】特開平１０−２００４６９号公報
【発明の開示】
【発明が解決しようとする課題】
【０００３】
しかしながら、特許文献１に開示の移動通信端末では、手動であるいは所定の場所では自動でスイッチ手段のスイッチを切り替えることにより、着信等を制御（防止）しなければならず、上述のような音声信号や映像信号の録音又は録画（記憶）をする際には、ユーザがスイッチ手段により予め無線送受信部への電源出力の供給を停止（ＯＦＦ）しなければならず、また、録音又は録画処理の終了後にも、ユーザが手動により無線送受信部への電源出力の供給を開始（ＯＮ）しなければならない。このため、このような従来の移動通信端末において音声信号や映像信号を録音又は録画することはユーザにとって大変面倒であるという問題があった。
【０００４】
そこで、本発明は、面倒な手間もなく音声信号や映像信号を録音又は録画することができる通信端末装置及びその録音／録画方法を提供することを目的とする。特に、本発明は、音声信号や映像信号の録音又は録画中に、他の通信端末装置から着信あるいはメールやデータを受信した場合であっても、それにより録音又は録画処理を中断することなく、その処理を完了することができる通信端末装置及びその録音／録画方法を提供することを目的とする。
【課題を解決するための手段】
【０００５】
請求項１に記載の本発明の通信端末装置は、基地局を介して他の通信端末装置と相互に音声を発着信し、メールやデータを送受信する送受信手段と、他のＡＶ機器とケーブルを介して接続可能な入力端子とを備える通信端末装置であって、前記入力端子に前記ケーブルが接続されているか否かに基づいて、前記他のＡＶ機器との接続状態を検出する接続検出手段と、アプリケーションプログラムを記憶するプログラム格納領域と各種データを記憶するデータ格納領域とを有する記憶手段と、前記アプリケーションプログラムの処理を演算するためのメモリと、前記接続検出手段が前記他のＡＶ機器と接続状態であると検出した場合には、前記入力端子を介して前記ＡＶ機器から入力される音声信号又は映像信号を前記記憶手段に記憶するためのアプリケーションプログラムを起動して前記メモリに展開し、前記音声信号又は前記映像信号のエンコード（符号化）処理を行った結果を前記記憶手段に記憶するための待機状態に前記通信端末装置を移行するとともに、前記送受信手段の全部又は一部の機能を停止又は前記通信端末装置の受信時の機能を制限する制御手段と、を備えることを特徴とする。
請求項２に記載の本発明は、請求項１に記載の通信端末装置において、前記通信端末装置の各部に電源を供給する電源手段を更に備え、前記制御手段は、前記電源手段から前記送受信手段への電源供給を停止することにより前記送受信手段の機能を停止することを特徴とする。
請求項３に記載の本発明は、請求項１に記載の通信端末装置において、前記送受信手段により前記他の通信端末装置から着信あるいはメールを受信したとき、音又はバイブレーションによりその旨を報知する報知手段を更に備え、前記制御手段は、前記報知手段の機能を停止することにより前記受信時の機能を制限することを特徴とする。
請求項４に記載の本発明は、請求項１又は請求項３に記載の通信端末装置において、前記メール又は前記他の通信端末装置の識別番号を表示するとともに、前記通信端末装置の状態をアイコンで表示可能な表示手段を更に備え、前記制御手段が前記送受信手段の機能を制限している場合に、前記送受信手段を介して前記他の通信端末装置から着信あるいはメールを受信したときには、前記表示手段は、前記着信があったことあるいはメールを受信したことをアイコンのみで表示することを特徴とする。
請求項５に記載の本発明は、請求項１、請求項３及び請求項４のいずれかに記載の通信端末装置において、前記制御手段が前記送受信手段の機能を制限している場合に、前記送受信手段を介して前記他の通信端末装置から着信したときには、前記制御手段は、現在通話ができないことを、前記送受信手段を介して前記他の通信端末装置に通知することを特徴とする。
請求項６に記載の本発明は、請求項１から請求項５のいずれかに記載の通信端末装置において、押下されると所定の信号を前記制御手段に出力する複数のキーを更に備え、前記音声信号又は前記映像信号をエンコード（符号化）処理して前記記憶手段に記憶するためのアプリケーションプログラムを実行し、その後前記音声信号又は前記映像信号の記憶を終了すると、前記制御手段は、前記通信端末装置を再度待機状態に移行し、その後所定の時間、前記複数のキーからの押下信号が入力されない場合には、前記送受信手段の機能の停止又は前記通信端末装置の受信時の機能の制限を解除することを特徴とする。
請求項７に記載の本発明は、請求項６に記載の通信端末装置において、前記制御手段は、前記送受信手段の機能の停止又は前記通信端末装置の受信時の機能の制限を解除した後、前記ＡＶ機器から音声信号又は映像信号が更に入力された場合には、前記送受信手段の機能を再度停止又は前記通信端末装置の受信時の機能を再度制限することを特徴とする。
請求項８に記載の本発明は、請求項１から請求項７のいずれかに記載の通信端末装置において、前記接続検出手段により前記ＡＶ機器との接続が断たれたことが検出されると、前記制御手段は、前記音声信号又は前記映像信号をエンコード（符号化）処理して前記記憶手段に記憶するためのアプリケーションプログラムを終了するとともに、前記送受信手段の機能の停止又は前記通信端末装置の受信時の機能の制限を解除することを特徴とする。
請求項９に記載の本発明の通信端末装置の録音／録画方法は、基地局を介して他の通信端末装置と相互に音声を発着信し、メールやデータを送受信する送受信部と、他のＡＶ機器とケーブルを介して接続可能な入力端子とを備える通信端末装置において音声信号又は映像信号を録音又は録画する通信端末装置の録音／録画方法であって、前記入力端子に前記ケーブルが接続されているか否かに基づいて、前記他のＡＶ機器との接続状態を検出するステップと、前記入力端子を介して前記ＡＶ機器から入力される音声信号又は映像信号をエンコード（符号化）処理して前記記憶部へ記憶するためのアプリケーションプログラムを起動してメモリに展開し、前記音声信号又は前記映像信号のエンコード（符号化）処理して前記記憶部への記憶を実行するための待機状態に前記通信端末装置を移行するステップと、前記基地局を介して前記他の通信端末装置と相互に音声を発着信し、前記送受信部の機能を停止又は通信端末装置の受信時の機能を制限するステップと、を有することを特徴とする。
請求項１０に記載の本発明は、請求項９に記載の通信端末装置の録音／録画方法において、前記機能停止又は制限ステップは、前記送受信部への電源供給を停止することにより前記送受信部の機能を停止するステップを含むことを特徴とする。
請求項１１に記載の本発明は、請求項９に記載の通信端末装置の録音／録画方法において、前記機能停止又は制限ステップは、前記他の通信端末装置からの着信又はメールの受信を音又はバイブレーションにより報知する機能を停止することにより前記受信時の機能を制限するステップ、前記他の通信端末装置から着信又はメールを受信した旨を表示部にアイコンのみで表示するステップ、及び、前記他の通信端末装置からの着信時に現在通話ができないことを通知するステップの少なくともいずれかを含むことを特徴とする。
請求項１２に記載の本発明は、請求項９から請求項１１のいずれかに記載の通信端末装置の録音／録画方法において、前記送受信部の機能の停止又は前記通信端末装置の受信時の機能の制限ステップの後に、前記音声信号又は前記映像信号をエンコード（符号化）処理して前記記憶部に記憶するためのアプリケーションプログラムを実行するステップと、前記アプリケーションプログラム実行ステップの終了後、前記通信端末装置を再度待機状態に移行するステップと、前記再度の待機状態への移行後、所定の時間、前記通信端末装置の複数のキーが押下されない場合には、前記送受信部の機能の停止又は前記通信端末装置の受信時の機能の制限を解除するステップと、を更に有することを特徴とする。
請求項１３に記載の本発明は、請求項１２に記載の通信端末装置の録音／録画方法において、前記停止又は制限解除ステップ後、前記ＡＶ機器から音声信号又は映像信号が入力された場合には、前記送受信部の機能を再度停止又は制限するステップを更に有することを特徴とする。
請求項１４に記載の本発明は、請求項９から１３のいずれかに記載の通信端末装置の録音／録画方法において、前記接続検出状態ステップは、前記通信端末装置の電源がＯＮの状態において常時実行されており、前記他のＡＶ機器との接続が断たれたことを検出すると、前記音声信号又は前記映像信号をエンコード（符号化）処理して前記記憶部に記憶するためのアプリケーションプログラムを終了するとともに、前記送受信部の機能の停止又は通信端末装置の受信時の機能の制限を解除するステップを更に有することを特徴とする。
【発明の効果】
【０００６】
本発明によれば、面倒な手間もなく音声信号や映像信号を通信端末装置の記憶手段（記憶部）に録音又は録画することができる。特に、本発明によれば、音声信号や映像信号の録音又は録画中に、他の通信端末装置から着信あるいはメールやデータを受信した場合であっても、それにより録音又は録画処理を中断することなく、その処理を完了することができる。
【発明を実施するための最良の形態】
【０００７】
本発明の第１の実施の形態による通信端末装置は、入力端子にケーブルが接続されているか否かに基づいて、他のＡＶ機器との接続状態を検出する接続検出手段と、入力端子を介してＡＶ機器から入力される音声信号又は映像信号をエンコード（符号化）処理して記憶手段に記憶するためのアプリケーションプログラムを起動してメモリに展開し、音声信号又は映像信号のエンコード（符号化）処理して記憶手段（記憶部）へ記憶を実行するための待機状態にこの通信端末装置を移行するとともに、送受信手段の機能を停止又は通信端末装置の受信時の機能を制限する制御手段とを備えるものである。本実施の形態によれば、接続検出手段によりＡＶ機器が接続されたことを検出した場合、音声信号や映像信号の録音又は録画の処理（記憶処理）が実行される前に、該処理を実行可能な待機状態に通信端末装置を移行するとともに、送受信手段の機能を停止又は通信端末装置の受信時の機能を制限することとした。そのため、他の通信端末装置からの着信やメールの受信により録音又は録画処理が影響を受けたりあるいは中断されたりすることもないので、録音又は録画処理を確実に完了することができるとともに、処理の中断に伴う録音又は録画のやり直しなどを必要としない。したがって、面倒な手間もなく、音声信号や映像信号をエンコード（符号化）処理して通信端末装置の記憶手段に記憶、すなわち、録音又は録画することができる。
本発明の第２の実施の形態は、第１の実施の形態による通信端末装置において、制御手段は、電源手段から送受信手段への電源供給を停止することにより送受信手段の機能を停止するものである。本実施の形態によれば、音声信号や映像信号の録音又は録画のための待機状態では送受信手段への電源供給を絶つこととしたので、確実に送受信手段の機能を停止することができる。
本発明の第３の実施の形態は、第１の実施の形態による通信端末装置において、制御手段は、送受信手段により他の通信端末装置から着信あるいはメールを受信したとき、音又はバイブレーションによりその旨を報知する報知手段の機能を停止することにより送受信手段の機能を制限するものである。本実施の形態によれば、音声信号や映像信号の録音又は録画処理において、報知手段の機能である着信音やバイブレーションによる着信又はメール受信の報知処理を制限しているので、録音又は録画処理に影響を及ぼしたり、中断されることもなく、また、それに加えて、送受信手段の機能、すなわち、着信又はメールの受信を完全に停止していないので、録音又は録画処理中に着信又はメールの受信があった場合には、録音又は録画処理の終了後にユーザが適宜対応することができる。
本発明の第４の実施の形態は、第１又は第３の実施の形態による通信端末装置において、制御手段が受信時の機能を制限している場合に、送受信手段を介して他の通信端末装置から着信あるいはメールを受信したときには、メールや他の通信端末装置の識別情報（例えば、電話番号や通信端末装置内の電話帳に登録している電話番号に対応する名前など）を表示するとともに、通信端末装置の状態をアイコンで表示可能な表示手段は、着信があったことあるいはメールを受信したことをアイコンのみで表示するものである。本実施の形態によれば、着信又はメールの受信があったことをアイコンで表示するだけにとどめているので、録音又は録画（記憶）のアプリケーションプログラム実行時などに通信端末装置が現在どのような処理状態であるかを表示するのに邪魔になることがない。
本発明の第５の実施の形態は、第１、第３及び第４の実施の形態のいずれかによる通信端末装置において、制御手段が送受信時の機能（送受信手段の機能）を制限している場合に、送受信手段を介して他の通信端末装置から着信したときには、制御手段は、現在通話ができないことを、送受信手段を介して他の通信端末装置に通知するものである。本実施の形態によれば、音声信号又は映像信号の録音又は録画中に他の通信端末装置から着信があった場合であっても、少なくとも、他の通信端末装置に現在電話に出られない旨を発信又は送信相手の通信端末装置に通知することができる。
本発明の第６の実施の形態は、第１から第５の実施の形態のいずれかによる通信端末装置において、音声信号又は映像信号をエンコード（符号化）処理して記憶手段に記憶するためのアプリケーションプログラムを実行し、その後音声信号又は映像信号の記憶を終了すると、制御手段は、通信端末装置を再度待機状態に移行し、その後所定の時間の間に、キーからの押下によって制御手段へ出力される所定の信号が入力されない（キーが押下されない）場合には、送受信手段の機能の停止又は通信端末装置の受信時の機能の制限を解除するものである。本実施の形態によれば、音声信号や映像信号の録音又は録画が終了し、ユーザがキー操作を一定時間行わなかった場合に、通信端末装置が自動的に着信又はメール受信を可能とする通常の待ち受け状態に移行するので、録音又は録画処理を終了した後すぐにケーブルを抜いたりしない場合（すなわち、ＡＶ機器との接続を断たない場合）であっても、着信やメールの受信をすることができる。したがって、録音又は録画処理を実行したままにしておいてケーブルを抜き忘れていた場合でもユーザが着信又はメール受信に対応することができ、ユーザに面倒な手間を取らせずにすむ。
本発明の第７の実施の形態は、第６の実施の形態による通信端末装置において、制御手段は、送受信手段の機能の停止又は通信端末装置の受信時の機能の制限を解除した後、ＡＶ機器から音声信号又は映像信号が更に入力された場合には、送受信手段の機能を再度停止又は通信端末装置の受信時の機能を再度制限するものである。本実施の形態によれば、ケーブルを抜かない場合、すなわち、ＡＶ機器との接続を断たない場合には、音声信号又は映像信号をエンコード（符号化）処理して記憶手段に記憶するためのアプリケーションプログラムを終了させることなく、常時録音又は録画の待機状態となっているので、例えば、ＡＶ機器におけるメディアの交換などの後、すぐに録音又は録画を再開することができる。したがって、続けて録音又は録画処理を実行したいユーザに面倒な手間を取らせずにすむ。
本発明の第８の実施の形態は、第１から第７の実施の形態のいずれかによる通信端末装置において、接続検出手段により他の機器であるＡＶ機器との接続が断たれたことが検出されると、制御手段は、音声信号又は映像信号をエンコード（符号化）処理して記憶手段へ記憶するためのアプリケーションプログラムを終了するとともに、送受信手段の機能の停止又は通信端末装置の受信時の機能の制限を解除するものである。本実施の形態によれば、ケーブルを抜くことにより、すなわち、ＡＶ機器との接続を断つことにより、音声信号又は映像信号を記憶するためのアプリケーションプログラムを自動的に終了して送受信手段の機能を復帰させ、通常の着信又はメール受信の待ち受け状態にすることができる。したがって、ユーザにとって面倒な手間が必要ない。なお、第６の実施の形態において、既に送受信手段の機能の停止又は通信端末装置の受信時の機能の制限を解除している場合には、制御手段は、上記アプリケーションプログラムのみを自動的に終了するのみである。
本発明の第９の実施の形態による通信端末装置の録音／録画方法は、入力端子にケーブルが接続されているか否かに基づいて、他のＡＶ機器との接続状態を検出するステップと、入力端子を介してＡＶ機器から入力される音声信号又は映像信号をエンコード（符号化）処理して記憶部に記憶するためのアプリケーションプログラムを起動してメモリに展開し、音声信号又は映像信号の記憶を実行するための待機状態に通信端末装置を移行するステップと、基地局を介して他の通信端末装置と相互に音声を発着信し、送受信部の機能を停止又は通信端末装置の受信時の機能を制限するステップとを有するものである。本実施の形態によれば、ＡＶ機器が接続されたことを検出した場合、音声信号や映像信号の録音又は録画の処理（記憶処理）が実行される前に、該処理を実行可能な待機状態に通信端末装置を移行するとともに、送受信手段の機能を停止又は通信端末装置の受信時の機能を制限することとした。そのため、他の通信端末装置からの着信やメールの受信により録音又は録画処理が中断されることもないので、録音又は録画処理を確実に完了することができるとともに、処理の中断に伴う録音又は録画のやり直しなどを必要としない。したがって、面倒な手間もなく、音声信号や映像信号をエンコード（符号化）処理して通信端末装置の記憶部に記憶、すなわち、録音又は録画することができる。
本発明の第１０の実施の形態は、第９の実施の形態による通信端末装置の録音／録画方法において、送受信部の機能停止又は通信端末装置の受信時の機能制限ステップは、送受信部への電源供給を停止することにより送受信部の機能を停止するステップを含むものである。本実施の形態によれば、音声信号や映像信号の録音又は録画のための待機状態では送受信部への電源供給を絶つこととしたので、確実に送受信部の機能を停止することができる。
本発明の第１１の実施の形態は、第９の実施の形態による通信端末装置の録音／録画方法において、受信部の機能停止又は通信端末装置の受信時の機能制限ステップは、他の通信端末装置からの着信又はメールの受信を音又はバイブレーションにより報知する機能を停止することにより受信時の機能を制限するステップ、他の通信端末装置から着信又はメールを受信した旨を表示部にアイコンのみで表示するステップ、及び、他の通信端末装置からの着信時に現在通話ができないことを通知するステップの少なくともいずれかを含むものである。本実施の形態によれば、音声信号や映像信号の録音又は録画処理において、受信時の報知手段の機能である着信音やバイブレーションによる着信又はメール受信の報知処理を制限するか、着信又はメールの受信があったことをアイコンで表示するだけにとどめるか、あるいは、音声信号又は映像信号の録音又は録画中に他の通信端末装置から着信があった場合であっても、該他の通信端末装置に現在電話に出られない旨を通知するか、少なくともいずれかの処理を行うものの、送受信手段の機能、すなわち、着信又はメールの受信時の処理を完全に停止していないので、録音又は録画処理の終了後にユーザが適宜対応することができる。
本発明の第１２の実施の形態は、第９から第１１の実施の形態による通信端末装置の録音／録画方法において、受信部の機能停止又は通信端末装置の受信時の機能制限ステップの後に、音声信号又は映像信号をエンコード（符号化）処理して記憶部に記憶するためのアプリケーションプログラムを実行するステップと、アプリケーションプログラム実行ステップの終了後、通信端末装置を再度待機状態に移行するステップと、再度の待機状態への移行後、所定の時間、通信端末装置の複数のキーのいずれかが押下されない場合には、送受信部の機能の停止又は通信端末装置の受信時の機能の制限を解除するステップと、を更に有するものである。本実施の形態によれば、音声信号や映像信号の録音又は録画が終了し、ユーザがキー操作を一定時間行わなかった場合に通信端末装置が自動的に着信又はメール受信を可能とする通常の待ち受け状態に移行するので、録音又は録画処理を終了した後すぐにケーブルを抜いたりしない場合（すなわち、ＡＶ機器との接続を断たない場合）であっても、確実に着信やメールの受信をすることができる。したがって、録音又は録画処理を実行したままにしておいてケーブルを抜き忘れていた場合でもユーザが着信又はメール受信に対応することができ、ユーザに面倒な手間を取らせずにすむ。
本発明の第１３の実施の形態は、第１２の実施の形態による通信端末装置の録音／録画方法において、受信部の機能停止又は通信端末装置の受信時の機能制限解除ステップ後、ＡＶ機器から音声信号又は映像信号が入力された場合には、送受信部の機能を再度停止又は通信端末装置の受信時の機能を再度制限するステップを更に有するものである。本実施の形態によれば、ケーブルを抜かない場合、すなわち、ＡＶ機器との接続を断たない場合には、音声信号又は映像信号をエンコード（符号化）処理して記憶部に記憶するためのアプリケーションプログラムを終了させることなく、常時録音又は録画の待機状態となっているので、例えば、ＡＶ機器におけるメディアの交換などの後、すぐに録音又は録画を再開することができる。したがって、続けて録音又は録画処理を実行したいユーザに面倒な手間を取らせずにすむ。
本発明の第１４の実施の形態は、第９から第１３の実施の形態による通信端末装置の録音／録画方法において、接続検出状態ステップは、通信端末装置の電源がＯＮの状態において常時実行されており、他の機器であるＡＶ機器との接続が断たれたことを検出すると、音声信号又は映像信号をエンコード（符号化）処理して記憶部に記憶するためのアプリケーションプログラムを終了するとともに、送受信部の機能の停止又は通信端末装置の受信時の機能の制限を解除するステップを更に有するものである。本実施の形態によれば、ケーブルを抜くことにより、すなわち、ＡＶ機器との接続を断つことにより、音声信号又は映像信号をエンコード（符号化）処理して記憶部に記憶するためのアプリケーションプログラムを自動的に終了して送受信手段の機能を復帰させ、通常の着信又はメール受信の待ち受け状態にすることができる。したがって、ユーザにとって面倒な手間が必要ない。
【実施例】
【０００８】
以下、本発明の一実施例による通信端末装置及び通信端末装置の録音／録画方法について添付図面を参照しつつ詳細に説明する。まず、本発明の通信端末装置１の構成を説明する。
図１は本実施例による通信端末装置とＡＶ機器との接続状態を示す図、図２は本実施例による通信端末装置の主要部を概略的に示すブロック図である。
図１に示すように、本実施例の通信端末装置１は、ケーブルを介してＡＶ機器（オーディオ・ビデオ機器）１００との接続を可能にする入力端子３０を備えている。なお、通信端末装置１は、本実施例では、携帯電話として示しているが、これに限定されず、例えば、ＰＤＡ（Ｐｅｒｓｏｎａｌ  Ｄｉｇｉｔａｌ  Ａｓｓｉｓｔａｎｔｓ）などのユーザが持ち運び可能な他の通信端末装置であってもよい。また、ＡＶ機器１００との接続には、通信端末装置１に搭載される入力端子３０とＡＶ機器１００との出力端子に対応したケーブルが用いられる。ここで、入力端子３０は、電気信号を受信する一又は複数の導電性の端子から構成されてもよい。
【０００９】
図１及び図２に示すように、通信端末装置１は、入力端子３０の他に、通信端末装置１の各機能を制御し、入出力される各種信号を処理する制御手段１０と、この各機能を実行するためのアプリケーションプログラムや、エンコード（符号化）処理された音楽データなどの音声データ、画像データなどの映像データの電子ファイルを格納（記憶）するための記憶手段（記憶部）２０と、各処理を実行するための演算用のメモリ２３と、入力端子３０にケーブルが接続されているか否かに基づいて、通信端末装置１に他の機器（例えば、ＡＶ機器１００）が接続されているか否かを検出する接続検出手段３１と、他の通信端末装置から着信あるいはメールを受信したとき、音又はバイブレーションによりその旨を報知する報知手段４０と、アンテナ５１を介して他の通信端末装置との送信又は受信を実行する送受信手段（送受信部）５０と、通信端末装置１の各部へ電源を供給する電源手段６０と、メール又は他の通信端末装置の識別情報（すなわち、電話番号や通信端末装置内の電話帳に登録してある電話番号に対応した名前など）を表示可能であるとともに、通信端末装置１の状態（例えば、充電池などの直流電源６１の残量状態、日時、マナーモード設定の有無など）をアイコンで表示可能な表示手段７０と、ユーザの声を集音するマイクロフォン８０と、アナログ信号を増幅する増幅手段８１と、増幅手段８１により増幅された通話音声を再生するためのスピーカ８２と、電話番号の入力時やメール作成時に押下することにより利用する複数のキー９０とを備えている。
【００１０】
制御手段１０は、各種演算を実行するプロセッサ１１と、各種信号の処理を実行する信号処理手段１２とを備え、後述する本発明の通信端末装置１の録音／録画処理（すなわち、本発明の通信端末装置の録音／録画方法）を実行する。プロセッサ１１は、ＣＰＵやＤＳＰなどの制御やメディア処理が可能な手段を備えている。信号処理手段１２は、デジタル信号とアナログ信号を相互に変換するためのＡＤＣ（アナログ−デジタルコンバータ）及びＤＡＣ（デジタル−アナログコンバータ）などを備えている。入力端子３０からアナログ信号で入力された場合には、この入力されたアナログ信号は、ＡＤＣなどでデジタル化された後、所定のフォーマットに変換してプロセッサ１１に出力される。また、デジタル信号で入力された場合には、この入力されたデジタル信号は、そのデータを所定のフォーマットに変換された後に、プロセッサ１１に出力される。また、ＤＡＣの出力信号は、音を出力する時のスピーカ４１への入力信号として使用される。プロセッサ１１は、音声信号であればＭＰ３やＡＡＣなどへエンコード処理し、映像信号であればＭＰＥＧ４などへエンコード処理する。そして、プロセッサ１１は、エンコード処理が完了したファイルを記憶手段２０の後述するデータ格納領域２２に格納する。また、記憶手段２０は、各種アプリケーションプログラムや音声信号あるいは映像信号を録音又は録画するためのアプリケーションプログラムを記憶しているプログラム格納領域２１と、エンコード（符号化）後の音楽信号や写真又はビデオなどの映像信号を格納するデータ格納領域２２とを含んでいるが、これらの領域は別々のメモリとして構成されていてもよい。別々のメモリとして構成されている場合には、プログラム格納領域２１は、例えば、ＮＯＲ  ＦＬＡＳＨメモリなどの不揮発性半導体メモリから構成されてもよく、データ格納領域２２は、例えば、ＮＡＮＤ  ＦＬＡＳＨメモリ、外部メモリカード（外部記憶媒体）、あるいは内蔵のハードディスクドライブなどから構成されてもよい。また、メモリ２３は、例えば、ＳＤＲＡＭなどの揮発性半導体メモリから構成されてもよく、上記記憶手段２０内に専用の領域が設けられてもよい。なお、本実施例では、エンコードする形式として、音声信号であればＭＰ３やＡＡＣ、映像信号であればＭＰＥＧ４を例示したが、他のどのような形式にエンコードしてもよい。
【００１１】
報知手段４０は、音声や着信音などを出力するスピーカ４１と、マナーモード時等に他の通信端末装置からの着信又はメールの受信をバイブレーション（通信端末装置１全体の振動）により報知するバイブレータ４２とを含む。なお、スピーカ４１は、信号処理手段１２から出力されるアナログ信号を増幅手段４３で増幅することにより、着信音や録音/録画時の音などを出力するものである。また、スピーカ８２は、通話時の通話音声を再生するために使用されるスピーカであり、信号処理手段１２から出力されるアナログ信号を増幅手段８１で増幅して出力するものである。また、電源手段６０は、電源制御手段６２の制御により、充電池などの直流電源６１に蓄えられた電源（電力）を、レギュレータ６３を介して通信端末装置１の各部へ供給するためのものである。なお、図２では、本発明の説明を容易にするために、レギュレータ６３から送受信手段５０への電気的接続のみを示し、他の接続を省略している。
なお、制御手段１０は、接続検出手段３１の機能も実現することができるよう構成されてもよく、この場合には、接続検出手段３１を省略してもよい。なお、接続検出手段３１の検出方法としては、例えば端子の電圧状態の変化によって検出する方法がある。
【００１２】
次に、本発明の通信端末装置１の特徴的な動作、すなわち、音声信号又は映像信号の録音／録画処理を、図３から図６のフローチャートを用いて説明する。ここで、通信端末装置１の従来から備えられている発着信機能やメールの作成あるいは送受信機能などは既に周知であるので、録音／録画処理と連動する動作以外についてはその説明を省略する。
【００１３】
図３は本実施例による通信端末装置１の録音／録画処理を示すフローチャートである。この処理は、電源手段６０により通信端末装置１の各部に電源が供給されている場合、すなわち、通信端末装置１がＯＮされている場合に、常時実行されているが、所定のタイミングにおいて実行されてもよい。まず、ステップ１０１において、接続検出手段３１により、入力端子３０及びケーブルを介して他のＡＶ機器との接続状態を検出する。どの入力端子で接続されたかを検出することによりＡＶ機器への接続であることを判別することができるが、検出方法はそれに限らない。他のＡＶ機器との接続状態を検出すると、録音／録画用のアプリケーションプログラムを起動する（ステップ１０２）。すなわち、通信端末装置１の制御手段１０は、プログラム格納領域２１に格納されている録音／録画用アプリケーションプログラムを読み出して、メモリ２３に展開して起動する。なお、ここでは録音／録画用アプリケーションプログラムと記載しているが、通信端末装置１が、録音のみに対応していてもよく、録画（音声含む）のみに対応していてもよい。あるいは、通信端末装置１が、録音／録画の両方に対応していて、それぞれ別々のアプリケーションプログラムをプログラム格納領域２１に格納していてもよい。別々のアプリケーションプログラムの場合には、接続された入力端子に応じて判別し、それぞれに対応した方のアプリケーションプログラムを起動すればよい。
そして、制御手段１０は、送受信手段５０の機能を停止して（ＯＦＦにして）（ステップ１０３）、録音又は録画処理を実行可能な状態で待機する。ここで、本実施例では、制御手段１０が電源手段６０から送受信手段５０への電源供給を停止することにより、すなわち、制御手段１０が、電源制御手段６２に、レギュレータ６３を介して直流電源６１から送受信手段５０への電源供給を停止させることにより、送受信手段５０の機能をＯＦＦにする。その後、ＡＶ機器１００において、音声信号や映像信号の再生が開始されると、それに連動して、入力端子３０を介して通信端末装置１に入力される信号をプロセッサ１１でエンコード（符号化）処理して所定のファイルフォーマットでデータ格納領域２２に格納（記憶）するように、制御手段１０は、録音又は録画処理を実行する（フローチャートでは図示せず）。
【００１４】
ステップ１０４において、制御手段１０は、ＡＶ機器１００から入力される音声信号又は映像信号を録音又は録画処理中であるか否かを判断する。制御手段１０は、録音又は録画処理を実行している間、すなわち、ＡＶ機器１００から信号が入力されている間、対応するアプリケーションプログラムを実行している。録音又は録画処理が終了すると、すなわち、音声信号又は映像信号がＡＶ機器１００から入力されない状態あるいはユーザによって録音／録画の停止状態になると、制御手段１０は、ステップ１０５に移行して、ステップ１０３において機能を停止されていた送受信手段５０の機能をＯＮにする。すなわち、制御手段１０は、電源手段６０に送受信手段５０への電源出力の供給を再開させる。これにより、通信端末装置１は、通常の着信又はメール受信のための待ち受け状態に移行する。その後、制御手段１０は、録音又は録画のためのアプリケーションプログラムを終了し（ステップ１０６）、この録音／録画処理を終了する。
【００１５】
以上のような構成とすることにより、他の通信端末装置からの着信やメールの受信により録音又は録画処理が中断されることもないので、録音又は録画処理を確実に完了することができるとともに、処理の中断に伴う録音又は録画のやり直しなどの必要性を排除することができる。したがって、通信端末装置１のユーザにとって面倒な手間もなく、音声信号や映像信号をエンコード（符号化）処理して通信端末装置１の記憶手段２０（すなわち、データ格納領域２２）に記憶、すなわち、録音又は録画することができる。また、音声信号や映像信号の録音又は録画が終了した場合に通信端末装置１が自動的に着信又はメール受信を可能とする通常の待ち受け状態に移行するので、録音又は録画処理を終了した後すぐにケーブルを抜いたりしない場合（すなわち、ＡＶ機器１００との接続を断たない場合）であっても、着信やメールの受信をすることができる。したがって、録音又は録画処理を実行したユーザに面倒な手間を取らせずにすむ。
【００１６】
なお、本発明は、ステップ１０４の録音又は録画処理中であるか否かの判断後、例えば、タイマなどにより所定時間を計時し、その所定時間内にキー９０のいずれかからの押下信号が制御手段１０に入力されない場合にのみ、ステップ１０５に移行して、送受信手段５０の機能をＯＮにしてもよい。このような構成とすることにより、例えば、所定時間内にＡＶ機器１００において、メディアを入れ替えて録音又は録画を継続して実行する場合などには、不要なアプリケーションプログラムの起動などの処理を実行しなくてもよく、面倒な手間を排除することができる。また、本発明は、入力端子３０からケーブルが抜かれたこと、すなわち、ＡＶ機器１００との接続が断たれたことを接続検出手段３１により検出したことを条件として、録音又は録画のためのアプリケーションプログラムを終了するよう構成されてもよい。このような構成とすることにより、ケーブルを抜かない場合、すなわち、ＡＶ機器１００との接続を断たない場合には、音声信号又は映像信号をエンコード（符号化）処理して記憶手段２０に記憶するためのアプリケーションプログラムを終了させることなく、常時録音又は録画の待機状態となっているので、例えば、ＡＶ機器１００におけるメディアの交換などの後、すぐに録音又は録画を再開することができる。したがって、続けて録音又は録画処理を実行したいユーザに面倒な手間を取らせずにすむ。ここで、上述の２つの追加の機能をいずれも備えている場合であって、所定時間内にケーブルが抜かれたときには、制御手段１０は、送受信手段５０の機能をＯＮするとともに（ステップ１０５）、録音又は録画のためのアプリケーションプログラムを終了する（ステップ１０６）よう構成されてもよい。
【００１７】
次いで、録音／録画処理の別の一例を図４から図６のフローチャートを用いて説明する。図４は本実施例による通信端末装置１の他の録音／録画処理を示すフローチャート、図５は図４に示すフローチャートの機能制限処理を示すフローチャート、図６は図４に示すフローチャートの機能制限解除処理を示すフローチャートである。なお、図３に記載のフローチャートと同様な処理についてはその説明を省略し、相違する処理を中心にこの録音／録画処理の別の一例を説明する。すなわち、制御手段１０が、ＡＶ機器１００が接続され、録音／録画用アプリケーションプログラムを起動するまでの処理（ステップ２０１から２０２）までの説明を省略する。
【００１８】
このように対応するアプリケーションプログラムを起動した後、制御手段１０は、送受信手段５０の機能を制限する（ステップ２０３）。具体的には、図５に示すように、機能制限処理において、制御手段１０は、着信時の着信音をスピーカ４１から出力しないようにし（ステップ３０１）、バイブレータ４２による報知機能をＯＦＦする（ステップ３０２）。すなわち、報知手段４０の機能を停止する。これにより、音声信号や映像信号の録音又は録画処理において、報知手段４０の機能である着信音やバイブレーションによる着信又はメール受信の報知処理を制限しているものの、送受信手段５０の機能、すなわち、着信又はメールの受信を完全に停止させていないので、録音又は録画処理中に着信又はメールの受信があった場合には、録音又は録画処理の終了後に通信端末装置１のユーザは着信又はメール受信に適宜対応することができる。なお、上記は着信時の報知手段４０の報知機能の制限であり、上記のような着信時のスピーカ４１による着信音出力を制限している場合であっても、録音／録画中の音声をスピーカ４１で出力することは可能である。
そして、このように報知手段４０の機能を停止した状態において、制御手段１０は、他の通信端末装置から送受信手段５０を介して着信あるいはメールを受信したか否かを判断する（ステップ３０３）。この状態において、他の通信端末装置から送受信手段５０を介して着信したときには、制御手段１０は、送受信手段５０を介して現在通話ができないことを他の通信端末装置に通知するとともに（ステップ３０４）、他の通信端末装置から着信があったことを表示手段７０にアイコンで表示させる（ステップ３０５）。この場合、他の通信端末装置の識別情報である電話番号や通信端末装置１の記憶手段２０内の電話帳に登録されている電話番号に対応した名前などを着信履歴に登録するよう構成してもよい。また、同様に、このような状態において、他の送信端末装置から送受信手段５０を介してメールを受信したときには、制御手段１０は、メールを受信したことを表示手段７０にアイコンで表示させる。このような構成とすることにより、他の通信端末装置のユーザは、発信先の通信端末装置が現在電話に出られない状態であることを知ることができる。また、録音又は録画（記憶）のアプリケーションプログラム実行時などに通信端末装置１が現在どのような処理状態であるかを表示するのに邪魔になることがないので、ユーザの利便性を害することがない。
【００１９】
ステップ２０４において、制御手段１０は、ＡＶ機器１００から入力される音声信号又は映像信号を録音又は録画処理中であるか否かを判断する。録音又は録画処理を実行している間、すなわち、ＡＶ機器１００から信号が入力されている間、報知手段４０の機能を停止した状態において、制御手段１０は、着信又はメール受信の有無を判断しながら、対応するアプリケーションプログラムを実行している。録音又は録画処理が終了すると、すなわち、音声信号又は映像信号がＡＶ機器１００から入力されない状態あるいはユーザが録音／録画処理を停止させた状態になると、制御手段１０は、ステップ２０５に移行して、ステップ２０３において機能を制限されていた送受信手段５０の当該制限を解除する。すなわち、図６に示すように、制御手段１０は、ステップ２０３において着信時の着信音をスピーカ４１へ出力しないようにしていた処理を元に戻す（着信時の着信音を出力可能とする）とともに（ステップ４０１）、バイブレータ４２を着信時に動作するよう（バイブレータによる報知機能をＯＮ）にして（ステップ４０２）、報知手段４０の機能を回復する。これにより、通信端末装置１は、通常の着信又はメール受信のための待ち受け状態、すなわち、マナーモード時などのバイブレーション設定時であればバイブレーションにより、通常モード時など着信音での報知を設定している時であれば着信音により着信又はメールの受信を報知することができる状態に移行する。また、これら両方で報知するように設定している場合も同様である。また、報知手段４０として、着信音やバイブレーションを用いる場合について説明したが、それらに限らず、録音／録画処理に影響を与えるような報知手段であれば同様に処理することが可能である。その後、制御手段１０は、録音又は録画のためのアプリケーションプログラムを終了する（ステップ２０６）。
【００２０】
このような構成とすることにより、上記実施例の場合と同様に、他の通信端末装置からの着信やメールの受信により録音又は録画処理が中断されることもないので、録音又は録画処理を確実に完了することができるとともに、処理の中断に伴う録音又は録画のやり直しなどの必要性を排除することができる。したがって、通信端末装置１のユーザにとって面倒な手間もなく、音声信号や映像信号をエンコード（符号化）処理して、所定のファイルフォーマットで通信端末装置１の記憶手段２０（すなわち、データ格納領域２２）に記憶、すなわち、録音又は録画することができる。なお、ステップ２０４の録音又は録画処理中であるか否かの判断後に、上記実施例のような２つの追加の機能を備えるような構成とすることにより、同様の効果を奏することができる。
【産業上の利用可能性】
【００２１】
本発明による通信端末装置としては、携帯電話やＰＤＡの他、通信機能とともに、ケーブルを介してＡＶ機器を接続することにより、音楽信号を含む音声信号や映像信号を録音又は録画することができる装置に適用することができる。
【図面の簡単な説明】
【００２２】
【図１】本発明の一実施例による通信端末装置とＡＶ機器との接続状態を示す図
【図２】本実施例による通信端末装置の主要部を概略的に示すブロック図
【図３】本実施例による通信端末装置の録音／録画処理を示すフローチャート
【図４】本実施例による通信端末装置の他の録音／録画処理を示すフローチャート
【図５】図４に示すフローチャートの機能制限処理を示すフローチャート
【図６】図４に示すフローチャートの機能制限解除処理を示すフローチャート
【符号の説明】
【００２３】
１  携帯電話（通信端末装置）
１０  制御手段
２０  記憶手段（記憶部）
２３  メモリ
３０  入力端子
３１  接続検出手段
４０  報知手段
５０  送受信手段（送受信部）
６０  電源手段
７０  表示手段
９０  キー
１００  ＡＶ機器（他の機器）
【図１】
2006295541.tif 000003
【図２】
2006295541.tif 000004
【図３】
2006295541.tif 000005
【図４】
2006295541.tif 000006
【図５】
2006295541.tif 000007
【図６】
2006295541.tif 000008